(57)【特許請求の範囲】
【請求項１】
媒体を収納しておく媒体収納部と、該媒体収納部から繰り出された媒体を１枚ずつ搬送する分離部と、媒体に保持されている情報を読み取る読取部と、該読取部により取得された情報に基づいて媒体を分けて集積しておく媒体集積部と、該媒体集積部に媒体を送り出す複数対の排出ローラと、該複数対の排出ローラ間にわたりかつ前記媒体集内部の内部に向かうように設けられた互いに対向する媒体ガイドと、
前記排出ローラ及び前記媒体ガイドの前記集積部側に設けられたガードとを有し、
前記媒体集積部が媒体処理装置の外側に引き出される場合、前記媒体ガイドおよび前記排出ローラが該媒体集積部と接触しない位置に退避し、
前記媒体ガイドおよび排出ローラにより媒体が前記媒体集積部に排出されるときに、前記ガードによって、先に排出されて前記媒体集積部内に集積されている媒体に前記排出ローラを接触させないようにすることを特徴とする媒体処理装置。
【発明の詳細な説明】
【０００１】
【発明の属する技術分野】
本発明は、媒体処理装置に関するものであり、特に伝票処理装置の集積に関するものである。
【０００２】
【従来の技術】
従来の伝票処理装置について図６、図７を用いて説明する。
図６に示すように、伝票処理装置１は、伝票３を収納しておく伝票収納部２と、伝票収納部２から繰り出された伝票３を１枚ずつ後方へ送り出す分離部４と、伝票３に記載されている顧客の氏名や住所、取引金額等の顧客情報を読み取る読取部５と、読取部５により読み取られた顧客情報に基づいて搬送路の切替えを行うブレード６と、顧客情報により伝票３を分けて収納しておく伝票集積部８と、伝票集積部８に伝票３を送り出すための排出ローラ７とから構成される。
【０００３】
なお、伝票集積部８は、集積されている伝票３を取り出しやすくするために、伝票処理装置１の外側に引き出すことが可能に形成されている。
上述した構成により、伝票収納部２に収納されている伝票３を繰り出して分離部４により１枚ずつ読取部５へと送り出し、該読取部５において顧客情報を読み取って、得られた顧客情報に基づいてブレード６を切り替えて、排出ローラ７により伝票集積部８に伝票３を排出する。
【０００４】
そして、伝票集積部８に排出された伝票３は、伝票集積部８の側面に立てかかるようにして順次集積される。
しかしながら、図７に示すように、伝票集積部８に折れたり、曲がったりしている伝票３が集積されている場合（以下、この伝票を不良伝票１１とする。）、伝票収納部２から後続して搬送されてくる伝票３の先端が不良伝票１１に接触して、ジャムや集積不良が発生する問題があった。
【０００５】
【発明が解決しようとする課題】
そこで、本発明では、伝票集積時におけるジャムや集積不良の発生を防ぐことを目的とする。
【０００６】
【課題を解決するための手段】
そこで本発明は、媒体を収納しておく媒体収納部と、該媒体収納部から繰り出された媒体を１枚ずつ搬送する分離部と、媒体に保持されている情報を読み取る読取部と、該読取部により取得された情報に基づいて媒体を分けて集積しておく媒体集積部と、該媒体集積部に媒体を送り出す複数対の排出ローラと、該複数対の排出ローラ間にわたりかつ前記媒体集内部の内部に向かうように設けられた互いに対向する媒体ガイドと、前記排出ローラ及び前記媒体ガイドの前記集積部側に設けられたガードとを有し、前記媒体集積部が媒体処理装置の外側に引き出される場合、前記媒体ガイドおよび前記排出ローラが該媒体集積部と接触しない位置に退避し、前記媒体ガイドおよび排出ローラにより媒体が前記媒体集積部に排出されるときに、前記ガードによって、先に排出されて前記媒体集積部内に集積されている媒体に前記排出ローラを接触させないようにすることを特徴とする。
【０００７】
【発明の実施の形態】
第１の実施の形態
第１の実施の形態の構成は、従来の伝票処理装置１における排出ローラ７に伝票ガイド２０を設けたものである。
図１は第１の実施の形態における伝票集積部８の説明図であり、（Ａ）は伝票３の集積処理時を、（Ｂ）は排出ローラ７および伝票ガイド２０の退避時をそれぞれ示している。
【０００８】
図１（Ａ）に示すように、互いに対向するように設けられた伝票ガイド２０は排出ローラ７から伝票集積部８の内部に向かって備えられていて、排出ローラ７により排出された伝票３は、伝票ガイド２０に沿って伝票集積部８に集積される。
このとき、伝票ガイド２０の伝票集積部８側端部は、伝票集積部８に集積されている伝票３や不良伝票１１と接触しない位置に配置されていて、排出ローラ７から排出された伝票３は、伝票集積部８に集積されている伝票３や不良伝票１１と接触してジャムや集積不良を起こすことなく、伝票集積部８に集積される。
【０００９】
なお、伝票ガイド２０の伝票集積部８側端部に排出ローラ７を設けてもよく、これにより伝票３をより容易に伝票集積部８へ送り出すことが可能となる。
さらに、伝票集積部８に集積されている伝票３の回収を行うなど、伝票集積部８が伝票処理装置１から引き出される場合は、伝票ガイド２０および排出ローラ７が図１（Ａ）の矢印に示すように上方へ移動して、図１（Ｂ）に示すように伝票集積部８と接触しないように退避する。
【００１０】
このように、第１の実施の形態によれば、排出ローラ７から伝票集積部８の内部に向かって備えられた伝票ガイド２０の端部が伝票集積部８に集積されている伝票３または不良伝票１１と接触しない位置に配置されているため、後続して排出ローラ７から排出される伝票３が伝票集積部８に集積されている伝票３や不良伝票１１に接触することがなく、ジャムや集積不良の発生を防ぐことができる。
【００１１】
なお、伝票集積部８に伝票３を排出する排出ローラ７が配置される位置や数は特に限定されるものではなく、後続して伝票収納部２から搬送されてくる伝票３を伝票集積部８に集積されている伝票３や不良伝票１１と接触させることなく集積させることが可能であればよい。
さらに、図２に示すように排出ローラ７および伝票ガイド２０の伝票集積部８側にガード１９を設けてもよく、これにより伝票集積部８に集積されている伝票３が排出ローラ７に巻き込まれることを防ぐことができる。
第２の実施の形態
第２の実施の形態の構成は、第１の実施の形態における伝票処理装置１にエアーノズル２３を設けたものである。
【００１２】
図３は第２の実施の形態における伝票集積部８の説明図である。
第２の実施の形態の伝票集積動作について、上述した構成を用いて以下に説明する。
まず、エアーノズル２３からエアーが噴出して伝票集積部８に集積されている伝票３にエアーがあてられる。
【００１３】
これにより、伝票集積部８に集積されている伝票３が伝票集積部８の側面に押し付けられて、伝票集積部８に空間ができる。
その後、エアーノズル２３からのエアーの噴出が停止して、伝票集積部８にできた空間に排出ローラ７により排出された伝票３が伝票ガイド２０に沿って集積される。
【００１４】
このように、第２の実施の形態によれば、エアーノズル２３を伝票集積部８へ向けて配置し、伝票集積部８に集積されている伝票３にエアーをあてて伝票集積部８の側面に該伝票３を押し付け、伝票集積部８に空間をつくり、できた空間に伝票収納部２から搬送されてきた伝票３を排出することにより、排出ローラ７により排出された伝票３を伝票集積部８に集積されている伝票３や不良伝票１１に接触させないで集積することができ、ジャムや集積不良の発生を防ぐことができる。
【００１５】
なお、伝票集積部８に集積されている伝票３の回収を行うなど、伝票集積部８が伝票処理装置１から引き出される場合は、エアーノズル２３が上方へ移動して、エアーノズル２３と伝票集積部８とが接触しない位置に退避するように構成されている。
第３の実施の形態
第３の実施の形態の構成は、第１の実施の形態における伝票処理装置１の伝票集積部８に伝票押さえ部２８を備えたものである。
【００１６】
図４は第３の実施の形態における伝票集積部の説明図である。
図に示すように、伝票押さえ部２８は、伝票集積部８において、伝票３が集積されている側面と対向する側面である背板２５と、該背板２５に接続している支点２６と、該支点２６に一端が固定されていて、他端が自由端である伝票押さえ板２７とから構成されるものである。
【００１７】
なお、背板２５は伝票集積部８の底面を支点として、対向する伝票集積部８の側面方向に可動に形成されている。
以下に、上述した構成による第３の実施の形態の伝票集積動作について説明する。
まず、背板２５が伝票集積部８の伝票３が集積されている側面方向に向かって傾く。
【００１８】
このとき、支点２６を介して背板２５に一端が接続している伝票押さえ板２７が、背板２５の動きに合わせて伝票集積部８の伝票３が集積されている側面方向に傾く。
そして、伝票押さえ板２７の自由端が、伝票集積部８に集積されている伝票３を該伝票集積部８の側面に押しつけるように配置され、伝票集積部８に空間ができる。
【００１９】
次に、背板２５が伝票集積部８の伝票３が集積されている側面から離れる方向に動き、これに伴って伝票押さえ板２７の自由端が伝票集積部８の側面に押し付けていた伝票３から離れる。
そして、伝票集積部８にできた空間に向けて伝票３が排出され、伝票ガイド２０に沿って集積される。
【００２０】
このように、第３の実施の形態によれば、伝票押さえ板２７により伝票集積部８に集積されている伝票３を伝票集積部８の側面に押し付けて、伝票集積部８に空間をつくり、該空間に伝票３を排出することにより、排出ローラ７から排出される伝票３を、伝票集積部８に集積されている伝票３や不良伝票１１に接触させないで集積させることができ、ジャムや集積不良の発生を防ぐことができる。
【００２１】
なお、背板２５に接続する支点２６の位置は特に限定されず、背板２５が傾いたときに支点２６に一端が接続した伝票押さえ板２７の他端が、伝票集積部８に集積されている伝票３を伝票集積部８の側面に押し付けて、伝票集積部８に空間をつくることができればよい。
第４の実施の形態
第４の実施の形態の構成は、第１の実施の形態における伝要処理装置１に、伝票挟み板３０と支点３１と集積板３２とを備えたものである。
【００２２】
図５は第４の実施の形態における伝票集積部の説明図であり、（Ａ）は伝票集積部８の断面説明図を、（Ｂ）は伝票集積部８の要部拡大図をそれぞれ示している。
図に示すように集積板３２は、伝票集積部８における伝票３を集積している側面であり、該集積板３２の側部に支点３１を備え、該支点３１には伝票挟み板３０の一端が接続している。
【００２３】
なお、伝票挟み板３０は支点３１を軸として可動に形成されている。
以下に、上述した構成による第４の実施の形態における伝票集積動作について説明する。
まず、支点３１が伝票集積部８側に回転し、該支点３１の回転にあわせて支点３１に接続した伝票挟み板３０が、伝票集積部８の集積板３２に集積されている伝票３を集積板３２との間に挟むように配置される。
【００２４】
そして、集積板３２に集積されている伝票３が伝票挟み板３０により集積板３２に押し付けられて、伝票集積部８に空間ができる。
その後、支点３１が伝票集積部８と反対側に回転し、伝票挟み板３０が伝票集積部８の集積板３２に集積されている伝票３から離れるように動く。
そして、伝票集積部８にできた空間に向けて排出ローラ７から伝票３が排出される。
【００２５】
このように、第４の実施の形態によれば、伝票挟み板３０により集積板３２に集積されている伝票３を集積板３２に押し付けて伝票集積部８に空間をつくり、該空間に伝票収納部２から搬送されてきた伝票３を排出するため、排出ローラ７から排出される伝票３が伝票集積部８に集積されている伝票３や不良伝票１１と接触することがなく、ジャムや集積不良の発生を防ぐことができる。
【００２６】
なお、支点３１の回転量は、集積板３２に集積されている伝票３の量に応じて制御されるものとし、伝票集積部８に集積されている伝票３が伝票挟み板３０により集積板３２に押し付けられて、伝票集積部８に空間ができればよいものとする。
さらに、第１から第４の実施の形態において、伝票ガイド２０の長さは特に限定されず、伝票ガイド２０の伝票集積部８側端部が、エアーノズル２３、伝票押さえ部２８、伝票挟み板３０、および伝票集積部８に集積されている伝票３と接触しないで、伝票集積部８にできた空間に配置されればよい。
【００２７】
【発明の効果】
以上説明したように、本発明によれば、伝票集積時におけるジャムや集積不良の発生を防ぐことが可能となる。
【図面の簡単な説明】
【図１】第１の実施の形態における伝票集積部の説明図
【図２】第１の実施の形態におけるガードを示す図
【図３】第２の実施の形態における伝票集積部の説明図
【図４】第３の実施の形態における伝票集積部の説明図
【図５】第４の実施の形態における伝票集積部の説明図
【図６】従来の伝票処理装置を示す図
【図７】従来の伝票処理装置の説明図
【符号の説明】
１  伝票処理装置
２  伝票収納部
３  伝票
４  分離部
５  読取部
６  ブレード
７  排出ローラ
８  伝票集積部
１１  不良伝票
１９  ガード
２０  伝票ガイド
２３  エアーノズル
２５  背板
２６  支点
２７  伝票押さえ板
２８  伝票押さえ部
３０  伝票挟み板
３１  支点
３２  集積板
【図１】
0003897093.tif 000002
【図２】
0003897093.tif 000003
【図３】
0003897093.tif 000004
【図４】
0003897093.tif 000005
【図５】
0003897093.tif 000006
【図６】
0003897093.tif 000007
【図７】
0003897093.tif 000008